(57)【要約】【課題】レシートの複数言語化をサポートするとともに、利便性の向上を図ることが可能な販売データ処理装置及びプログラムを提供する。【解決手段】取引が行われる毎に、取引内容を第１言語で表した文字列を含むレシートデータを生成する生成手段と、前記第１言語とは異なる第２言語の選択を受け付ける受付手段と、前記第２言語が選択されたことを条件に、前記レシートデータに含まれた前記第１言語の文字列に対応付けて、当該文字列と対訳関係にある前記第２言語の文字列を付加する付加手段と、前記レシートデータを出力する出力手段と、を備える。【選択図】図８
2019021067.tif 000002
【特許請求の範囲】
【請求項１】
取引が行われる毎に、取引内容を第１言語で表した文字列を含むレシートデータを生成する生成手段と、
前記第１言語とは異なる第２言語の選択を受け付ける受付手段と、
前記第２言語が選択されたことを条件に、前記レシートデータに含まれた前記第１言語の文字列に対応付けて、当該文字列と対訳関係にある前記第２言語の文字列を付加する付加手段と、
前記レシートデータを出力する出力手段と、
を備える販売データ処理装置。
【請求項２】
前記生成手段は、前記第１言語で作成されたコンテンツを前記レシートデータに含めて生成し、
前記付加手段は、前記第２言語が選択されたことを条件に、前記レシートデータに含まれた前記第１言語のコンテンツに対応付けて、当該コンテンツと対訳関係にある前記第２言語のコンテンツを付加する請求項１に記載の販売データ処理装置。
【請求項３】
前記生成手段は、前記第１言語に対応する第１国の通貨単位で表した前記取引に係る金額を前記レシートデータに含めて生成し、
前記付加手段は、前記第２言語が選択されたことを条件に、前記レシートデータに含まれた前記第１国の通貨単位で表された金額に対応付けて、当該金額を前記第２言語に対応する第２国の通貨単位で換算した金額を付加する請求項１又は２に記載の販売データ処理装置。
【請求項４】
前記出力手段は、前記レシートデータを、紙媒体のレシートとして印字出力又は電子レシートとして外部装置に出力する請求項１〜３の何れか一項に記載の販売データ処理装置。
【請求項５】
複数の言語の中から一の言語を選択可能な選択画面を表示部に表示させる表示制御手段を更に備え、
前記受付手段は、前記選択画面を介して選択された前記第１言語とは異なる一の言語を前記第２言語として受け付ける請求項１〜４の何れか一項に記載の販売データ処理装置。
【請求項６】
販売データ処理装置のコンピュータを、
取引が行われる毎に、取引内容を第１言語で表した文字列を含むレシートデータを生成する生成手段と、
前記第１言語とは異なる第２言語の選択を受け付ける受付手段と、
前記第２言語が選択されたことを条件に、前記レシートデータに含まれた前記第１言語の文字列に対応付けて、当該文字列と対訳関係にある前記第２言語の文字列を付加する付加手段と、
前記レシートデータを出力する出力手段と、
して機能させるためのプログラム。
【発明の詳細な説明】
【技術分野】
【０００１】
本発明の実施形態は、販売データ処理装置及びプログラムに関する。
【背景技術】
【０００２】
従来、スーパーマーケット等の小売店では、ＰＯＳ（Point  Of  Sale）端末等の販売データ処理装置が使用されている。係る販売データ処理装置では、客が購入する商品の決済に係る処理を実行し、その取引内容を印字したレシートを発行している。客は、発行されたレシートを読むことで、購入した商品の内訳や金額等を確認することができる。
【０００３】
また、近年では、買い物や観光等のために訪日する外国人（以下、訪日外国人）が増加している。訪日外国人の中には日本語を理解できない、又は理解できないわけではないが、他言語（例えば母国語）の方が理解し易い者が存在する。このような場合、訪日外国人は、日本語で印字されたレシートを理解することができないため、従来、日本語以外の他言語を用いてレシートを印字する技術が提案されている。また、日本語で印字したレシートと、他言語で印字したレシートとを個々に印字することが可能な技術が提案されている。
【０００４】
ところで、商品の交換や返品を行うような場合、店舗側ではレシートに印字された取引履歴を確認してから対応することが一般的である。しかしながら、上記のように他言語で印字されたレシートの場合、店員は、そのレシートに印字された内容を理解できず、どの商品が交換や返品の対象になるのかを容易に確認できない可能性がある。また、言語毎にレシートを印字する従来技術においても、店員は、日本語のレシートと他言語のレシートとを比較しながら対訳関係にある文字列を確認することになるため、利便性に欠けるという問題がある。
【発明の概要】
【発明が解決しようとする課題】
【０００５】
本発明が解決しようとする課題は、レシートの複数言語化をサポートするとともに、利便性の向上を図ることが可能な販売データ処理装置及びプログラムを提供することである。
【課題を解決するための手段】
【０００６】
実施形態の販売データ処理装置は、取引が行われる毎に、取引内容を第１言語で表した文字列を含むレシートデータを生成する生成手段と、前記第１言語とは異なる第２言語の選択を受け付ける受付手段と、前記第２言語が選択されたことを条件に、前記レシートデータに含まれた前記第１言語の文字列に対応付けて、当該文字列と対訳関係にある前記第２言語の文字列を付加する付加手段と、前記レシートデータを出力する出力手段と、を備える。
【図面の簡単な説明】
【０００７】
【図１】図１は、実施形態に係る販売データ処理システムのシステム構成の一例を示す図である。
【図２】図２は、実施形態に係るＰＯＳ端末の外観の一例を示す外観斜視図である。
【図３】図３は、実施形態に係るＰＯＳ端末のハードウェア構成の一例を示す図である。
【図４】図４は、図３に示した内部コンテンツ記憶部のデータ構成の一例を示す図である。
【図５】図５は、図３に示した商品マスタ記憶部のデータ構成の一例を示す図である。
【図６】図６は、実施形態に係るＰＯＳ端末の機能構成の一例を示す図である。
【図７】図７は、実施形態に係る言語選択画面の一例を模式的に示す図である。
【図８】図８は、実施形態に係るレシートの一例を模式的に示す図である。
【図９】図９は、実施形態に係るレシートの他の例を模式的に示す図である。
【図１０】図１０は、実施形態に係るレシートの他の例を模式的に示す図である。
【図１１】図１１は、実施形態に係るレシートの他の例を模式的に示す図である。
【図１２】図１２は、実施形態のＰＯＳ端末が実行する販売データ処理の一例を示す図である。
【発明を実施するための形態】
【０００８】
以下、実施形態に係る販売データ処理装置及びプログラムについて、図面を参照して説明する。なお、以下の実施形態では、スーパーマーケット等の小売店（店舗）に導入される販売システムに適用した例について説明するが、この実施形態に限定されるものではない。
【０００９】
図１は、本実施形態に係る販売データ処理システム１のシステム構成の一例を示す図である。図１に示すように、販売データ処理システム１は、ＰＯＳ端末１０と、情報提供サーバ２０とを有する。ＰＯＳ端末１０と情報提供サーバ２０とは、ネットワークＮ１を介して接続される。ネットワークＮ１は、例えばインターネットや専用線によって構成される。なお、ネットワークＮ１に接続されるＰＯＳ端末１０及び情報提供サーバ２０の個数は特に問わないものとする。
【００１０】
ＰＯＳ端末１０は、販売データ処理装置の一例である。ＰＯＳ端末１０は、店舗毎に一又は複数台設けられ、店員等のオペレータの操作に応じて、客が購入する商品の決済に係る処理を実行する。
【００１１】
情報提供サーバ２０は、外部装置の一例である。情報提供サーバ２０は、例えばＰＯＳ端末１０が置かれた店舗を運営する企業や、当該企業以外の第三者機関が管理するサーバ装置である。情報提供サーバ２０は、ＰＯＳ端末１０に対し後述する付加情報を提供する。なお、本実施形態では、情報提供サーバ２０は、一のサーバ装置で実現されるものとするが、これに限らず、複数のサーバ装置の協働により実現されるクラウドサーバであってもよい。
【００１２】
図２は、ＰＯＳ端末１０の外観の一例を示す外観斜視図である。ＰＯＳ端末１０は、ドロワ１１の上に載置されており、ドロワ１１の引出１２の開放動作を制御することができる。ドロワ１１は、客から受領した現金や、釣銭等に使用する現金を収納する。なお、ＰＯＳ端末１０は、ドロワ１１に代えて、又はドロワ１１と共に自動釣銭機を備えていてもよい。ＰＯＳ端末１０の本体ハウジング１３は、上面右側にキーボード１４と第１表示部１５とを設ける。
【００１３】
キーボード１４は、ＰＯＳ端末１０を操作する各種キーを備える。キーボード１４は、例えば、締めキー１４１と、現計キー１４２とを備える。締めキー１４１は、後述する販売登録の終了を指示するための操作子である。現計キー１４２は、後述する決済処理の開始を指示するための操作子である。
【００１４】
第１表示部１５は、表示面上にタッチパネルが積層されたタッチパネルディスプレイである。第１表示部１５は、例えば、店員等のオペレータが主に見る画面を表示する。本体ハウジング１３は、上面後方には、第２表示部１６を設ける。第２表示部１６は、表示面上にタッチパネルが積層されたタッチパネルディスプレイである。第２表示部１６は、例えば、商品を購入する客が主に見る画面を表示する。
【００１５】
ＰＯＳ端末１０は、本体ハウジング１３の上面左側には印字部１７を設ける。印字部１７は、取引単位のレシートやジャーナル等を用紙に印字するプリンタである。用紙は、印字媒体の一例である。なお、用紙は、ロール状に巻かれたロール紙であってもよいし、それぞれが個別に分けられた紙葉であってもよい。
【００１６】
ＰＯＳ端末１０は、本体ハウジング１３の右側面の溝に、カードリーダ１８を備える。カードリーダ１８は、客が所持するクレジットカードやデビットカード等のカード媒体から、電子決済に係る電子結果情報を読み取る。
【００１７】
また、ＰＯＳ端末１０は、手持ち式のスキャナ装置１９を設ける。スキャナ装置１９は、商品に付されたコードシンボルから、当該商品を識別可能な商品コードを読み取る。
【００１８】
図３は、ＰＯＳ端末１０のハードウェア構成の一例を示す図である。ＰＯＳ端末１０は、ＣＰＵ（Central  Processing  Unit）１０１、ＲＯＭ（Read  Only  Memory）１０２、ＲＡＭ（Random  Access  Memory）１０３、記憶部１０４、通信部１０５、キーボード１４、第１表示部１５、第２表示部１６、印字部１７、カードリーダ１８及びスキャナ装置１９を備える。
【００１９】
ＣＰＵ１０１は、プロセッサであり、ＲＯＭ１０２又は記憶部１０４に記憶されたプログラムを実行することで、ＰＯＳ端末１０の動作を統括的に制御する。ＲＯＭ１０２は、ＣＰＵ１０１が実行可能な各種プログラムやデータを記憶する記憶媒体である。ＲＡＭ１０３は、各種プログラムを一時的に記憶したり、各種データを書き換えたりする記憶媒体である。ＣＰＵ１０１は、ＲＡＭ１０３をワークエリア（作業領域）としてＲＯＭ１０２又は記憶部１０４等に格納されたプログラムを実行する。
【００２０】
記憶部１０４は、ＨＤＤ（Hard  Disk  Drive）やＳＳＤ（Solid  State  Drive）などの記憶装置である。記憶部１０４は、ＣＰＵ１０１が実行可能なプログラムや各種の設定情報を記憶する。
【００２１】
また、記憶部１０４は、各種情報を記憶するための記憶領域として、内部コンテンツ記憶部１０４１と、商品マスタ記憶部１０４２とを保持する。また、記憶部１０４は、後述する外部コンテンツを記憶するための外部コンテンツ記憶部１０４３を保持する。
【００２２】
内部コンテンツ記憶部１０４１は、表示や印字の出力に使用するコンテンツデータを記憶したデータファイルである。内部コンテンツ記憶部１０４１は、複数の言語毎に、当該言語で表されたコンテンツデータ（以下、内部コンテンツという）を記憶する。より詳細には、内部コンテンツ記憶部１０４１は、各言語を識別する言語コードに関連付けて、当該言語で作成された内部コンテンツを記憶する。
【００２３】
図４は、内部コンテンツ記憶部１０４１のデータ構成の一例を示す図である。図４に示すように、内部コンテンツ記憶部１０４１は、コンテンツＩＤと、言語コードと、内部コンテンツとを関連付けて記憶する。
【００２４】
コンテンツＩＤは、内部コンテンツの各々を識別するための識別子である。内部コンテンツは、表示用と印字用とに区分けされたり、出力対象等に応じて区分けされたりしている。例えば、表示用であれば、後述する言語選択画面用や、販売登録に係る表示画面、決済処理用に係る表示画面用の内部コンテンツがそれぞれ記憶されている。また、印字用であれば、レシート出力用やジャーナル出力用の内部コンテンツがそれぞれ記憶されている。コンテンツＩＤは、区分された内部コンテンツを識別するために用いられる。
【００２５】
各コンテンツＩＤには、複数の言語コードが関連付けられている。言語コードは、ＰＯＳ端末１０で対応可能な各言語を識別するための識別情報である。言語コードには、対応する言語を用いて作成された内部コンテンツが関連付けられている。
【００２６】
内部コンテンツは、表示や印字の対象となるコンテンツデータである。本実施形態の内部コンテンツは、項目名やメッセージ等の所定の文字列を表したテキストデータを含む。ここで、同一のコンテンツＩＤに関連付けられた各言語の内部コンテンツは、同一の事柄や意味を表す。つまり、同一のコンテンツＩＤに関連付けられた各言語の内部コンテンツは対訳関係を有している。
【００２７】
なお、内部コンテンツは、テキストデータに限らず、他の種類のコンテンツデータであってもよいし、複数種類のコンテンツデータで構成されてもよい。例えば、内部コンテンツは、ロゴマークやイラスト等の画像データであってもよい。また、内部コンテンツは、出力時のレイアウトを定義するためのレイアウトデータであってもよい。レイアウトデータは、他の内部コンテンツ（テキストデータ、画像データ）と組み合わせることで、画面レイアウトや印字レイアウト等を定義するものである。また、各言語で出力形態が共通する内部コンテンツについては、コンテンツＩＤ“０００２”や“０００３”に示すように、各言語間で同一の内部コンテンツを保持する構成としてもよい。
【００２８】
また、外部コンテンツ記憶部１０４３は、内部コンテンツ記憶部１０４１と同様のデータ構成を有するものとする。
【００２９】
図３に戻り、商品マスタ記憶部１０４２は、商品に関する商品情報を記憶したデータファイルである。商品マスタ記憶部１０４２は、複数の言語毎に、当該言語で表された各商品の商品情報を記憶する。より詳細には、商品マスタ記憶部１０４２は、商品を識別可能な商品コード毎に、各言語を識別する言語コードに関連付けて、当該言語で表された商品情報を保持する。
【００３０】
図５は、商品マスタ記憶部１０４２のデータ構成の一例を示す図である。図５に示すように、商品マスタ記憶部１０４２は、商品コードと、言語コードと、商品情報とを関連付けて記憶する。
【００３１】
商品コードは、商品を識別可能な識別情報である。識別情報は、例えばＪＡＮコード（Japanese  Accepted  Name）等を用いることができる。言語コードは、ＰＯＳ端末１０で対応可能な各言語を識別するための識別情報である。言語コードには、対応する言語で表された商品情報が関連付けて記憶される。
【００３２】
商品情報は、商品コードに対応する商品の商品名、単位数量当たりの価格（単価）等、当該商品に関する情報を含む。ここで、同一の商品コードに関連付けられた各言語の商品情報は、同一の事柄や意味を表す。つまり、同一の商品コードに関連付けられた各言語の商品情報は対訳関係を有している。
【００３３】
なお、商品情報は、商品名や単価に限らず、他のデータを含んでもよい。例えば、商品情報は、商品の種別、原産地や生産者をテキストで表したデータを含んでもよい。また、商品が薬剤の場合、商品情報は、その薬剤に関する説明文や注意事項等をテキストで表したデータを含んでもよい。また、商品情報は、商品の画像やイラストを表した画像データを含んでもよい。なお、各言語で出力形態が共通する商品情報（単価等）については、複数の言語間で同一の商品情報を保持する構成としてもよい。
【００３４】
図３に戻り、通信部１０５は、ネットワークＮ１に接続された各機器と通信を行うための通信インタフェースである。具体的には、通信部１０５は、ＣＰＵ１０１の制御の下、ネットワークＮ１に接続された情報提供サーバ２０との間で通信を行う。
【００３５】
次に、ＰＯＳ端末１０が有する特徴的な機能について説明する。図６は、ＰＯＳ端末１０の機能構成の一例を示す図である。
【００３６】
ＰＯＳ端末１０のＣＰＵ１０１は、記憶部１０４に記憶されたプログラムをＲＡＭに展開し、当該プログラムを実行することで、図６に示す各機能部を実現する。具体的には、ＣＰＵ１０１は、機能部として、操作受付部１００１と、言語設定部１００２と、販売登録部１００３と、決済処理部１００４と、付加情報取得部１００５と、表示制御部１００６と、印字制御部１００７とを備える。
【００３７】
操作受付部１００１は、キーボード１４を介した各種操作を受け付ける。また、操作受付部１００１は、第１表示部１５のタッチパネルや、第２表示部１６のタッチパネル等を介した各種操作を受け付ける。
【００３８】
言語設定部１００２は、表示又は印字に用いる言語の設定を行う機能部である。言語設定部１００２は、キーボード１４、第１表示部１５のタッチパネル及び第２表示部１６のタッチパネル等を介して言語を指定する操作を受け付けると、その指定された言語を表示や印字用の言語に設定する。本実施形態では、言語設定部１００２は、ＰＯＳ端末１０で対応可能な複数の言語（言語コード）の中から、第１言語と第２言語との指定（選択）を受け付ける。
【００３９】
第１言語は、ＰＯＳ端末１０が通常使用する言語である。第１言語は、例えば、ＰＯＳ端末１０の初回起動時に選択され、選択された言語の言語コードがデフォルトの言語設定として記憶部１０４等に設定（記憶）される。第１言語には、例えば、ＰＯＳ端末１０が置かれた国の言語や、ＰＯＳ端末１０のオペレータが理解可能な言語を選択することが好ましい。なお、第１言語の選択方法は特に問わないものとする。また、第１言語は、予め設定されている構成としてもよい。本実施形態では、第１言語として「日本語」が設定されているものとする。
【００４０】
第２言語は、商品の取引時に一時的に使用する言語であり、取引毎に選択することが可能となっている。ここで、取引とは、一人の客に対して販売登録及び決済処理が行われる期間を意味する。第２言語は、取引の開始時や取引中に訪日外国人等の客によって選択され、選択された言語の言語コードが取引の間ＲＡＭに設定（記憶）される。
【００４１】
言語設定部１００２は、表示制御部１００６と協働することで、第２言語を選択するための言語選択画面（図７参照）を客用の第２表示部１６に表示させ、言語選択画面から選択された一の言語を第２言語に設定する。言語選択画面については後述する。
【００４２】
販売登録部１００３は、客が購入する商品の販売登録を行う。例えば、販売登録部１００３は、スキャナ装置１９により商品に付されたコードシンボルから商品コードが読み取られると、その商品コードに対応する商品を商品マスタ記憶部１０４２から特定し販売登録する。また、決済処理部１００４は、上記と同様の処理を行うことで、操作受付部１００１が受け付けた操作により特定される商品を販売登録する。また、販売登録部１００３は、販売登録された商品の単価及び数量に基づき、各商品の商品金額（単価×数量）や、当該商品金額を合計（又は小計）した合計金額等を算出する。なお、販売登録とは、特定した商品の商品コードを、当該商品の購入数や商品金額等と関連付けてＲＡＭ１０３に保持することを意味する。
【００４３】
決済処理部１００４は、販売登録された商品の販売データに基づいて、当該商品の決済処理を実行する。例えば、決済処理部１００４は、現計キー１４２の操作に応じて、販売登録された各商品の合計金額を、客が支払った金額（支払金額）で決済する決済処理を実行する。また、決済処理部１００４は、支払金額から合計金額を減算することで、釣り銭額を算出する。なお、支払金額は、現金に限らず、クレジットカードやデビットカード等の媒体から読み取った電子決済情報によって支払われる構成としてもよい。
【００４４】
付加情報取得部１００５は、情報提供サーバ２０から提供される付加情報を通信部１０５を介して取得する。例えば、付加情報取得部１００５は、情報提供サーバ２０から定期的又は不定期で提供される付加情報を取得する。また、付加情報取得部１００５は、情報提供サーバ２０に対して付加情報の取得要求を送信することで、情報提供サーバ２０から付加情報を取得する。
【００４５】
付加情報は、表示や印字の出力に使用することが可能なコンテンツデータ（以下、外部コンテンツという）を含む。具体的には、本実施形態の付加情報は、外部コンテンツＩＤと、言語コードと、外部コンテンツとを含む。
【００４６】
外部コンテンツＩＤは、付加情報（外部コンテンツ）の各々を識別するための識別子である。外部コンテンツＩＤには、複数の言語コードが関連付けられている。また、言語コードには、対応する言語を用いて作成された外部コンテンツが関連付けられている。外部コンテンツは、上述した内部コンテンツと同様にテキストデータ等で構成される。ここで、同一の外部コンテンツＩＤ（付加情報）に関連付けられた各言語の外部コンテンツは、同一の事柄や意味を表す。つまり、同一の外部コンテンツＩＤに関連付けられた各言語の外部コンテンツは対訳関係を有する。なお、各言語で出力形態が共通の外部コンテンツについては、複数の言語間で同一の外部コンテンツを保持する構成としてもよい。
【００４７】
外部コンテンツが表す内容は特に問わず、種々の形態が可能である。例えば、外部コンテンツは、ＰＯＳ端末１０が置かれた店舗や特定の商品を宣伝するための広告情報であってもよい。また、外部コンテンツは、ＰＯＳ端末１０が置かれた地域や国に関する地域情報であってもよい。また、外部コンテンツは、ＰＯＳ端末１０が置かれた店舗や当該店舗周辺の他の店舗で利用することが可能な割引クーポン等のサービス情報であってもよい。
【００４８】
また、付加情報は、外部コンテンツ以外の他のデータを含んでいてもよい。例えば、付加情報は、外部コンテンツの出力に係る条件を定めたデータ（以下、付加条件）を含んでもよい。係る付加条件には、例えば、特定の言語が設定されている場合に出力することや、特定の時間帯に出力すること等の条件を設定することができる。
【００４９】
付加情報取得部１００５は、情報提供サーバ２０から付加情報を取得すると、その付加情報に含まれた外部コンテンツ等を外部コンテンツ記憶部１０４３に記憶する。外部コンテンツ記憶部１０４３は、外部コンテンツを記憶するためのデータファイルであり、例えば、上述した内部コンテンツ記憶部１０４１と同様のデータ構成（図５参照）を有する。なお、付加情報取得部１００５は、外部コンテンツ記憶部１０４３への格納時に外部コンテンツＩＤを割り当てる構成としてもよい。また、付加情報に、付加条件等の他のデータが含まれる場合には、当該他のデータを対応する外部コンテンツＩＤに関連付けて外部コンテンツ記憶部１０４３に記憶するものとする。
【００５０】
表示制御部１００６は、表示制御手段の一例である。表示制御部１００６は、商品の取引に係る各種の画面を、言語設定部１００２が設定した言語で、第１表示部１５又は第２表示部１６に表示させる。
【００５１】
表示制御部１００６は、第２言語が未設定の場合、第１言語で表した各種の情報や画面を第１表示部１５及び第２表示部１６に表示させる。具体的には、表示制御部１００６は、内部コンテンツ記憶部１０４１に記憶された各言語の内部コンテンツから、第１言語に設定された言語コード（以下単に第１言語ともいう）の内部コンテンツを用いて、各種の情報や画面を第１表示部１５及び第２表示部１６に表示させる。なお、表示の対象となる内部コンテンツ（コンテンツＩＤ）は、表示する画面や処理の内容等に対応して予め設定されているものとする。
【００５２】
また、表示制御部１００６は、第２言語が未設定の場合、言語設定部１００２や決済処理部１００４と協働することで、第２言語を選択させるための言語選択画面を第２表示部１６に表示させる。
【００５３】
図７は、言語選択画面の一例を模式的に示す図である。図７に示す言語選択画面Ｇ１は、ＰＯＳ端末１０が対応する各言語を、当該言語を主に使用する国の国旗で表したものである。国旗が付された操作子Ｂ１１は選択可能に構成されている。言語設定部１００２は、何れか一の操作子Ｂ１１の選択操作を受け付けると、その選択された操作子Ｂ１１の国旗に対応する言語の言語コードを第２言語に設定する。
【００５４】
表示制御部１００６は、言語設定部１００２により第２言語が設定されると、設定された第２言語で各種の情報や画面を、客用の第２表示部１６に表示させる。具体的には、表示制御部１００６は、内部コンテンツ記憶部１０４１に記憶された各言語の内部コンテンツのうち、第２言語に設定された言語コード（以下単に第２言語ともいう）の内部コンテンツを用いて、各種の情報や画面を第２表示部１６に表示させる。
【００５５】
なお、言語選択画面は、図７に限らないものとする。例えば、表示制御部１００６は、ＰＯＳ端末１０が対応する各言語で、国名や言語選択を促すメッセージ等を表した操作子を言語選択画面に表示させてもよい。また、表示制御部１００６は、第１言語を選択肢（操作子）として言語選択画面に表示させてもよいし、表示させない構成としてもよい。
【００５６】
また、言語選択画面を表示するタイミングは、対象とする取引が終了する前であれば特に問わないものとする。例えば、表示制御部１００６は、販売登録部１００３が一取引に係る販売登録を開始したタイミングで言語選択画面を表示してもよい。また、表示制御部１００６は、販売登録部１００３が一取引に係る販売登録を開始する前に、言語選択画面を表示してもよい。なお、販売登録を開始する前とは、先の客の取引が終了してから、次の客の取引（対象となる取引）が開始されるまでの期間を意味する。また、例えば、レシートの出力用に第２言語を設定する場合には、表示制御部１００６は、販売登録部１００３が一取引に係る販売登録を終了してから、決済処理部１００４が決済処理を開始するまでの間に言語選択画面を第２表示部１６に表示させてもよい。
【００５７】
また、表示制御部１００６は、言語選択画面と同一の画面内に、他の情報を表示させてもよい。例えば、表示制御部１００６は、言語選択画面と同一の画面内に、販売登録された商品に関する商品情報や商品金額、合計金額等を表示してもよい。また、表示制御部１００６は、外部コンテンツ記憶部１０４３に記憶された外部コンテンツを第２表示部１６に表示させてもよい。なお、第２言語が設定済の場合には、表示制御部１００６は、第２言語で商品情報（商品名）や外部コンテンツを第２表示部１６に表示させるものとする。
【００５８】
印字制御部１００７は、生成手段、付加手段及び出力手段の一例である。印字制御部１００７は、一取引の取引内容を表したレシートデータを生成する。取引内容は、一取引で販売登録された商品の内訳や、当該商品の決済処理の内容（合計金額、支払い金額、釣り銭額等）の他、取引が行われた店舗名や日時、取引を識別する取引番号等を含む。
【００５９】
具体的には、印字制御部１００７は、第２言語が未設定の場合、取引内容を第１言語で表した文字列を含むレシートデータを生成する。また、印字制御部１００７は、第２言語が設定済の場合、レシートデータに含まれた第１言語の文字列に対応付けて、当該文字列と対訳関係にある第２言語の文字列を付加する。そして、印字制御部１００７は、生成したレシートデータを印字部１７に印字させることで、一取引の内容を示したレシートを出力（発行）する。発行されたレシートは、取引の終了時に客に渡される。
【００６０】
ここで、第２言語が設定されている場合での、印字制御部１００７の動作について説明する。印字制御部１００７は、決済処理部１００４の決済処理が完了すると、販売登録された商品の商品コードに関連付けられた商品情報の中から、第１言語の商品情報を抽出する。また、印字制御部１００７は、販売登録された商品の商品コードに関連付けられた商品情報の中から、第２言語の商品情報を抽出する。そして、印字制御部１００７は、販売登録された商品毎に、当該商品の商品情報を第１言語と第２言語とを対応付けたレシートデータを生成する。
【００６１】
図８は、レシート（レシートデータ）の一例を模式的に示す図である。図８に示すように、レシートＲ１は、一取引で登録された各商品の商品コードＤ１１、商品名Ｄ１２、Ｄ１２ａ、単価Ｄ１３、点数Ｄ１４、商品金額Ｄ１５、合計金額Ｄ１６、支払金額Ｄ１７、釣銭金額Ｄ１８を、取引内容として含む。なお、合計金額Ｄ１６、支払金額Ｄ１７、釣銭金額Ｄ１８の各々には、その項目を説明するための項目名Ｄ２１、Ｄ２２、Ｄ２３が印字されている。
【００６２】
また、レシートＲ１は、取引内容以外の他の項目として、取引が行われた店舗の店舗名Ｄ３１や、取引日時Ｄ３２、取引番号Ｄ３３を含む。さらに、レシートＲ１は、メッセージＤ４を含む。
【００６３】
項目名Ｄ２１、Ｄ２２、Ｄ２３、店舗名Ｄ３１、メッセージＤ４は、例えばレシート出力用の内部コンテンツ（テキストデータ）で定義されたものである。レシートＲ１のレイアウトは、例えばレシート出力用の内部コンテンツ（レイアウトデータ）で定義されたものである。また、取引日時Ｄ３２及び取引番号Ｄ３３は、取引毎に動的に生成されるデータである。なお、取引日時Ｄ３２の表示形態は、内部コンテンツとして言語毎に保持されているものとする。
【００６４】
ここで、取引内容に含まれた商品名に着目すると、レシートＲ１では、第１言語（日本語）で表された商品名Ｄ１２と、第２言語（英語）で表された商品名Ｄ１２ａとが併記されている。具体的には、印字制御部１００７は、第１言語で表された一文（例えば商品名Ｄ１２）の直下に、当該一文と対訳関係にある第２言語の一文（例えば商品名Ｄ１２ａ）を付加して印字（出力）させる。これにより、図８に示すように、対訳関係にある商品名同士が、二段で併記される。
【００６５】
このように、印字制御部１００７は、第２言語が設定されたことを条件に、販売登録された商品について、対訳関係にある商品名を併記したレシートを出力（印字）させる。これにより、第２言語を理解可能な訪日外国人等の客は、レシートに印字された取引内容（商品名Ｄ１２ａ）を容易に理解することができる。また、第１言語を理解可能なオペレータは、レシートに印字された取引内容（商品名Ｄ１２）を容易に理解することができる。また、オペレータと客（訪日外国人）とは、レシートに印字された取引内容について、認識の共通化を容易に図ることができる。
【００６６】
なお、レシートＲ１では、商品名以外の項目を第１言語（日本語）で出力しているが、他の項目についても第２言語を付加した状態で出力させてもよい。この場合、印字制御部１００７は、第２言語が選択されたことを条件に、レシートデータに含まれた第１言語の内部コンテンツ（テキストデータ）に対応付けて、当該内部コンテンツと対訳関係にある第２言語の内部コンテンツを付加する。
【００６７】
具体的には、印字制御部１００７は、内部コンテンツ記憶部１０４１に記憶されたレシート出力用の内部コンテンツの中から、第１言語の内部コンテンツに対応する第２言語の内部コンテンツを抽出する。そして、印字制御部１００７は、第１言語の内部コンテンツの直下に、抽出した第２言語の内部コンテンツを付加して印字させる。これにより、図９に示すように、対訳関係にある内部コンテンツ同士が、二段で併記される。
【００６８】
図９は、レシート（レシートデータ）の他の例を模式的に示す図である。図９のレシートＲ２は、図８のレシートＲ１と同じ取引内容を示しているが、取引内容以外の他の項目が第１言語と第２言語とで併記されている点でレシートＲ１と異なっている。
【００６９】
具体的には、レシートＲ２では、第１言語で表された項目名Ｄ２１、Ｄ２２、Ｄ２３が、対訳関係にある第２言語の項目名Ｄ２１ａ、Ｄ２２ａ、Ｄ２３ａとそれぞれ併記されている。また、第１言語で表された店舗名Ｄ３１、メッセージＤ４が、対訳関係にある第２言語の店舗名Ｄ３１ａ、メッセージＤ４ａとそれぞれ併記されている。また、取引日時Ｄ３２についても、第２言語で表された取引日時Ｄ３２ａが併記されている。
【００７０】
このように、印字制御部１００７は、第２言語が設定されたことを条件に、対訳関係にある取引内容以外の項目（コンテンツ）を対応付けたレシートを印字させる。これにより、第２言語を理解可能な訪日外国人等の客は、レシートに印字された取引内容以外の項目を容易に理解することができる。また、第１言語を理解可能なオペレータは、レシートに印字された取引内容以外の項目を容易に理解することができる。また、オペレータと客（訪日外国人）とは、レシートに印字された取引内容以外の項目について、認識の共通化を容易に図ることができる。
【００７１】
また、レシートＲ１、Ｒ２では、商品の単価Ｄ１３や合計金額Ｄ１６等の金額を、第１言語を使用する主要な国（以下、第１国）の通貨単位で表しているが、当該金額についても第２言語に関連する情報を付加した状態で出力させてもよい。
【００７２】
例えば、印字制御部１００７は、第１国の通貨単位で表した金額に対応付けて、第２言語を使用する主要な国（以下、第２国）の通貨単位に換算した金額を付加してもよい。この場合、印字制御部１００７は、第１国と第２国との間の為替レートに基づいて、第１国の通貨単位で表した金額を第２国の通貨単位の金額に換算する。そして、印字制御部１００７は、第１国の通貨単位で表した金額の直下に、当該金額を第２国の通貨単位で換算した金額を付加して印字させる。これにより、図１０に示すように、第１国の通貨単位で表した金額と、第２国の通貨単位に換算した金額とが、二段で併記される。
【００７３】
図１０は、レシートの他の例を模式的に示す図である。図１０のレシートＲ３は、図８のレシートＲ１と同じ取引内容を示しているが、合計金額等の金額が併記されている点でレシートＲ１と異なる。具体的には、レシートＲ３では、第１国（日本）の通貨単位で表された単価Ｄ１３、商品金額Ｄ１５、合計金額Ｄ１６、支払金額Ｄ１７、釣銭金額Ｄ１８の各々について、第２国（米国）の通貨単位で表された単価Ｄ１３ａ、商品金額Ｄ１５ａ、合計金額Ｄ１６ａ、支払金額Ｄ１７ａ、釣銭金額Ｄ１８ａがそれぞれ併記されている。なお、図１０の例では、説明の簡略化のため１ＵＳドル＝１００円で換算した例を示している。
【００７４】
このように、印字制御部１００７は、第２言語が設定されたことを条件に、第１国の通貨単位で表した金額と、第２国の通貨単位に換算した金額とを対応付けたレシートを印字させる。これにより、訪日外国人等の客は、第１国の通貨単位で表された金額が、第２国（自国）の通貨単位でどの程度の金額に相当するかを容易に確認することができるため、金額を確認する際の利便性を向上させることができる。なお、為替レートは、外部のサーバ装置から取得してもよいし、記憶部１０４等に予め記憶されている構成としてもよい。また、印字制御部１００７は、換算に用いた為替レートをレシートデータに含めて印字させてもよい。
【００７５】
また、印字制御部１００７は、外部コンテンツ記憶部１０４３に記憶された付加情報（外部コンテンツ）をレシートデータに含めて印字してもよい。この場合、印字制御部１００７は、第１言語の外部コンテンツをレシートデータに含めて印字させる。また、印字制御部１００７は、第２言語が設定済であることを条件に、レシートデータに含まれた第１言語の外部コンテンツに対応付けて、当該外部コンテンツと対訳関係にある第２言語の外部コンテンツを付加して印字させる。
【００７６】
具体的には、印字制御部１００７は、外部コンテンツ記憶部１０４３に記憶された外部コンテンツの中から、第１言語の外部コンテンツに対応する第２言語の外部コンテンツを抽出する。そして、印字制御部１００７は、第１言語の外部コンテンツの直下に、抽出した第２言語の外部コンテンツを付加して印字させる。これにより、図１１に示すように、対訳関係にある外部コンテンツ同士が、二段で併記される。
【００７７】
なお、出力（印字）の対象とする外部コンテンツの選定方法は、特に問わないものとする。例えば、印字制御部１００７は、外部コンテンツ記憶部１０４３に記憶された全ての外部コンテンツを出力対象としてもよい。また、印字制御部１００７は、外部コンテンツに関連付けて記憶された条件情報に基づき、第２言語や取引日時の条件に該当する外部コンテンツを出力対象として選定してもよい。
【００７８】
図１１は、外部コンテンツが付加されたレシートの一例を示す図である。図１１のレシートＲ４は、図８のレシートＲ１と同じ取引内容を示しているが、レシートの末尾部分に外部コンテンツＤ５が付加されている点でレシートＲ１と異なる。このレシートＲ４は、第２言語（英語）が設定済の例であり、第１言語の外部コンテンツと、第２言語の外部コンテンツとを対応付けて印字した例を示している。具体的には、外部コンテンツＤ５に含まれた、対訳関係にある第１言語の文字列Ｄ５１と第２言語の文字列Ｄ５１ａとが併記されている。また、外部コンテンツＤ５に含まれた、対訳関係にある第１言語の文字列Ｄ５２と第２言語の文字列Ｄ５２ａとが併記されている。
【００７９】
このように、印字制御部１００７は、第２言語が設定されたことを条件に、対訳関係にある外部コンテンツを対応付けたレシートを印字させる。これにより、客である訪日外国人は、レシートに印字された外部コンテンツの内容を容易に理解することができる。また、第１言語を理解可能なオペレータは、レシートに印字された外部コンテンツの内容を容易に理解することができる。また、オペレータと客（訪日外国人）とは、レシートに印字された外部コンテンツについて、認識の共通化を容易に図ることができる。
【００８０】
なお、外部コンテンツの配置位置はレシートの末尾部分に限らないものとする。例えば、印字制御部１００７は、レシートの先頭部分等の他の部位に外部コンテンツを配置させてもよい。また、印字部１７が用紙の両面に印字することが可能な構成を有する場合、印字制御部１００７は、用紙の一方の面に取引内容を印字させ、用紙の他方の面に外部コンテンツを印字させてもよい。
【００８１】
また、印字制御部１００７は、上記した客用のレシートとともに、店舗保存用のジャーナルを印字部１７に印字させる。具体的には、印字制御部１００７は、第２言語の設定有無に関わらず、第１言語で取引内容を表したジャーナルを印字させる。なお、印字制御部１００７は、レシートの印字に用いた第２言語の言語コードをジャーナルに含めて印字させてもよい。
【００８２】
以下、上述した構成のＰＯＳ端末１０の動作について説明する。図１２は、ＰＯＳ端末１０が実行する販売データ処理の一例を示す図である。なお、本処理の前提として、第１言語は予め設定されているものとする。また、情報提供サーバ２０から提供される付加情報（外部コンテンツ）は外部コンテンツ記憶部１０４３に予め記憶されているものとする。
【００８３】
まず、所定の操作により取引の開始が指示されると、表示制御部１００６は、言語選択画面を第２表示部１６に表示させる（ステップＳ１１）。
【００８４】
言語設定部１００２は、ステップＳ１１で表示された言語選択画面から一の言語（第２言語）が選択されたか否かを判定する（ステップＳ１２）。ここで、一の言語が選択されると（ステップＳ１２；Ｙｅｓ）、言語設定部１００２は、その選択された言語の言語コードを第２言語に設定する（ステップＳ１３）。また、言語選択画面から一の言語が選択されない場合又は第２言語が設定済の場合には（ステップＳ１２；Ｎｏ）、ステップＳ１５に移行する。なお、表示制御部１００６は、第２言語の設定に伴い、言語選択画面を消去してもよい。
【００８５】
ステップＳ１３で第２言語が設定されると、表示制御部１００６は、第２表示部１６の画面に表示内容を第１言語用から第２言語用に切り替え（ステップＳ１４）、ステップＳ１８に移行する。
【００８６】
一方、販売登録部１００３は、スキャナ装置１９から商品コードが入力されるのを待機している。商品コードの入力を受け付けると（ステップＳ１５；Ｙｅｓ）、販売登録部１００３は、ステップＳ１６に移行する。また、商品コードが入力されない場合には（ステップＳ１５；Ｎｏ）、ステップＳ１８に移行する。なお、ステップＳ１５（ステップＳ１８）の処理は、ステップＳ１２の処理と並行又は並列で行われてもよい。
【００８７】
販売登録部１００３は、ステップＳ１５で入力された商品コードの商品を販売対象の商品として販売登録する（ステップＳ１６）。次いで、表示制御部１００６は、販売登録された商品の商品情報に基づき、その商品の商品名や購入数等を第１表示部１５及び第２表示部１６に表示させ（ステップＳ１７）、ステップＳ１８に移行する。なお、第２言語が未設定の場合には、表示制御部１００６は、商品情報を第１言語で第１表示部１５及び第２表示部１６に表示させる。また、第２言語が設定済の場合には、表示制御部１００６は、商品情報を第１言語で第１表示部１５に表示させるとともに、第２言語で第２表示部１６に表示させる。
【００８８】
続いて、販売登録部１００３は、締めキー１４１が操作されたか否かを判定する（ステップＳ１８）。締めキー１４１が操作されない場合（ステップＳ１８；Ｎｏ）、操作受付部１００１は、ステップＳ１２に処理を戻す。また、締めキー１４１の操作を受け付けると（ステップＳ１８；Ｙｅｓ）、販売登録部１００３は販売登録を終了し、ステップＳ１９の処理に移行させる。
【００８９】
続いて、操作受付部１００１が、現計キー１４２が操作されるまで待機する（ステップＳ１９；Ｎｏ）。客が支払った支払金額の入力が、この待機時間の間に行われる。なお、レシートの出力用に第２言語を設定する場合、表示制御部１００６は、ステップＳ１９の待機が開始されるタイミングで言語選択画面を表示させてもよい。
【００９０】
現計キー１４２の操作を受け付けると（ステップＳ１９；Ｙｅｓ）、決済処理部１００４は、販売登録された商品の合計金額を、客の支払金額で決済する決済処理を実行する（ステップＳ２０）。
【００９１】
続いて、印字制御部１００７は、第２言語が設定済か否かを判定する（ステップＳ２１）。第２言語が未設定の場合（ステップＳ２１；Ｎｏ）、印字制御部１００７は、販売登録された商品及び決済処理の内容（取引内容）に基づき、その取引内容を第１言語で表したレシートデータを生成する。そして、印字制御部１００７は、生成したレシートデータを紙媒体のレシートとして印字部１７に印字させ（ステップＳ２２）、ステップＳ２４に移行する。
【００９２】
また、第２言語が設定済の場合（ステップＳ２１；Ｙｅｓ）、印字制御部１００７は、取引内容等を第１言語と第２言語とで併記したレシートデータを生成する。そして、印字制御部１００７は、生成したレシートデータを紙媒体のレシートとして印字部１７に印字させ（ステップＳ２３）、ステップＳ２４に移行する。なお、印字制御部１００７は、外部コンテンツ記憶部１０４３に記憶された外部コンテンツを、レシートデータに含めて印字させてもよい。
【００９３】
続いて、印字制御部１００７は、取引内容を第１言語で表したジャーナルを印字部１７に印字させる（ステップＳ２４）。そして、レシート及びジャーナルの印字が完了すると、言語設定部１００２は、第２言語の設定を解除し（ステップＳ２５）、本処理を終了する。
【００９４】
以上のように、本実施形態によれば、ＰＯＳ端末１０は、取引の最中や取引の開始前（販売登録の開始前）に第２言語の選択を受け付けると、取引内容等を第１言語と第２言語とで表したレシートデータを生成し、レシートとして印字出力する。これにより、ＰＯＳ端末１０は、単一のレシートにおいて複数言語化をサポートすることができる。
【００９５】
また、ＰＯＳ端末１０は、対訳関係にある第１言語及び第２言語の文字列を対応付けた状態で印字する。これにより、ＰＯＳ端末１０は、レシートに印字された商品情報や他の項目について、第１言語を理解可能なオペレータと、第２言語を理解可能な訪日外国人等の客との間の認識の共通化を図ることができる。したがって、オペレータと訪日外国人との間でレシート内容の確認が容易となるため、利便性の向上を図ることができる。
【００９６】
以上、本発明の実施形態を説明したが、これらの実施形態は例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００９７】
例えば、上記実施形態では、レシートを出力する例を説明したが、出力の対象はレシートに限らないものとする。例えば、表示制御部１００６は、第２表示部１６に表示する商品情報や各種コンテンツを、第１言語と第２言語とを用いて表示（併記）させてもよい。また、印字制御部１００７は、ジャーナルに対してもレシートと同様の形態で印字させてもよい。更には、客に手渡されるレシート以外の印刷物についても第１言語と第２言語とを用いて印字してもよい。例えば、調剤薬局等では、薬剤とともに当該薬剤の名称、効能、用法等の説明文（コンテンツ）を印字した文書（以下、薬剤情報提供文書）を客に渡す場合がある。このような場合、印字制御部１００７は、薬剤の説明文を第１言語と第２言語とを用いて表した（併記した）薬剤情報提供文書を印字させてもよい。
【００９８】
また、上記実施形態では、第２言語は、言語選択画面に基づき選択される例を説明したが、第２言語の選択方法はこれに限らないものとする。例えば、ＰＯＳ端末１０が、パスポート（旅券）に保持された情報を読み取り可能なパスポートリーダを備える場合、言語設定部１００２は、パスポートから読み取られた情報から客の国籍を特定し、その国籍に対応する言語コードを第２言語に設定してもよい。
【００９９】
また、上記実施形態では、テキストデータの各種コンテンツについて、第１言語と第２言語とを併記する例を説明したが、他の種類のコンテンツについても同様に併記してもよい。例えば、内部コンテンツ記憶部１０４１に記憶された内部コンテンツとして、画像データが言語毎に用意されている場合には、当該画像データを併記する構成としてもよい。
【０１００】
また、上記実施形態では、同じ種類のコンテンツ（テキストデータ）を併記する例を説明したが、これに限らず、対訳関係を有するのであれば、種類の異なるコンテンツデータを併記してもよい。この場合、例えば、内部コンテンツ記憶部１０４１は、コンテンツＩＤが共通する内部コンテンツとして、第１言語の文字列をイラスト等で表した画像データ（ロゴマーク等）を第１言語の言語コードに関連付けて記憶し、当該文字列を他の言語で表したテキストデータを対応する言語コードに関連付けてそれぞれ記憶する。係る内部コンテンツを用いることで、印字制御部１００７は、第１言語の文字列を表した画像と、当該画像中の文字列を第２言語で表した文字列（テキスト）とを対応付けて印字させることができる。
【０１０１】
また、上記実施形態では、ＰＯＳ端末１０が、内部コンテンツ記憶部１０４１、商品マスタ記憶部１０４２及び外部コンテンツ記憶部１０４３を保持する構成としたが、これに限らないものとする。例えば、ＰＯＳ端末１０がアクセス可能な外部装置（店舗内に設けられた店舗サーバ等）が、内部コンテンツ記憶部１０４１、商品マスタ記憶部１０４２及び外部コンテンツ記憶部１０４３の何れか又は全てを保持してもよい。
【０１０２】
また、上記実施形態では、各言語用のコンテンツを用意し、選択された言語に応じて使用するコンテンツを切り替える構成としたが、公知の自動翻訳技術を用いることで、第１言語のコンテンツから第２言語のコンテンツを、その都度生成する構成としてもよい。この場合、内部コンテンツ記憶部１０４１や外部コンテンツ記憶部１０４３には、第１言語で作成されたコンテンツを記憶し、表示制御部１００６や印字制御部１００７は、第２言語に自動翻訳されたコンテンツを第２表示部１６やレシートの出力に使用する。この場合、自動翻訳は、ＰＯＳ端末１０のＣＰＵ１０１が行ってもよいし、ネットワークＮ１に接続された外部装置（翻訳サーバ等）に行わせる構成としてもよい。
【０１０３】
また、上記実施形態では、第１言語と第２言語との印字（併記）について、第１言語を上段に第２言語を下段に印字する例を説明したが、印字方法はこれに限らないものとする。例えば、第２言語を上段に第１言語を下段に印字してもよい。また、例えば、第１言語と第２言語とを横に並べて印字してもよい。
【０１０４】
また、上記実施形態では、紙媒体のレシートを印字（印字出力）する例を説明したが、これに限らず、電子レシートの形態で出力する構成としてもよい。この場合、印字制御部１００７は、上記実施形態で説明したレシートデータを、電子レシートをとして生成する。そして、印字制御部１００７は、電子レシートを生成すると、通信部１０５等を介して、その取引に係る客が所持する情報端末等に出力（送信）する。
【０１０５】
ここで、印字制御部１００７が生成する電子レシートは、紙媒体のレシートに印字される内容と同じ内容を含むものとする。また、第１言語及び第２言語で表された取引内容及び他の項目については、上記実施形態と同様の形態で併記されるものとする。なお、電子レシートは、例えばＸＭＬ（Extensible  Markup  Language）等の構造化言語に基づき、レシートデータを構造化形式に変換したものであってもよい。また、電子レシートは、表示された際の形態が、紙媒体のレシートと同様の表示形態となるよう生成することが好ましい。
【０１０６】
また、電子レシートの提供方法は特に問わず、種々の方法を採用することが可能である。例えば、会員登録等のシステムにより、客を識別可能な識別情報が予め得られている場合には、当該識別情報に関連付けて当該客が所持する情報端末のアドレスを登録しておく。そして、取引の際に、カードリーダ１８等により客が所持する会員カード等の媒体から当該客の識別情報が読み取られると、印字制御部１００７は、その識別情報に関連付けられた情報端末のアドレス宛に、生成した電子レシートを出力（送信）する。
【０１０７】
また、ＰＯＳ端末１０が、ＮＦＣ（Near  Field  Communication）やＩＢｅａｃｏｎ(登録商標)等の規格に準拠した近距離無線通信装置を備える場合、当該近距離無線通信装置を介して電子レシートを提供してもよい。この場合、印字制御部１００７は、近距離無線通信装置を介して、客が所持する情報端末に電子レシートを出力（送信）する。また、電子レシートは、ＰＯＳ端末１０から客の情報端末に直接提供する形態に限らず、ネットワークＮ１等に接続された外部のサーバ装置を介して客の情報端末に提供してもよい。
【０１０８】
なお、印字制御部１００７は、紙媒体のレシートと電子レシートとの何れか一方を出力してもよいし、両方を出力してもよい。例えば、印字制御部１００７は、操作受付部１００１が受け付けた店員や客の操作に応じて、出力先を切り替えてもよい。
【０１０９】
また、上記実施形態の各装置で実行されるプログラムは、当該装置が備える記憶媒体（ＲＯＭ又はＨＤＤ）に予め組み込んで提供するが、これに限らないものとする。例えば、プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。更に、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１０】
また、上記実施形態の各装置で実行されるプログラムをインターネット等のネットワークに接続されたコンピュータ上に格納し、ネットワーク経由でダウンロードさせることで提供してもよいし、インターネット等のネットワーク経由で提供又は配布するように構成してもよい。
【符号の説明】
【０１１１】
１  販売データ処理システム
１０  ＰＯＳ端末
１４  キーボード
１５  第１表示部
１６  第２表示部
１７  印字部
２０  情報提供サーバ
１００１  操作受付部
１００２  言語設定部
１００３  販売登録部
１００４  決済処理部
１００５  付加情報取得部
１００６  表示制御部
１００７  印字制御部
１０４１  内部コンテンツ記憶部
１０４２  商品マスタ記憶部
１０４３  外部コンテンツ記憶部
Ｎ１  ネットワーク
【先行技術文献】
【特許文献】
【０１１２】
【特許文献１】特開２００７−１０２７２１号公報
【図１】
2019021067.tif 000003
【図２】
2019021067.tif 000004
【図３】
2019021067.tif 000005
【図４】
2019021067.tif 000006
【図５】
2019021067.tif 000007
【図６】
2019021067.tif 000008
【図７】
2019021067.tif 000009
【図８】
2019021067.tif 000010
【図９】
2019021067.tif 000011
【図１０】
2019021067.tif 000012
【図１１】
2019021067.tif 000013
【図１２】
2019021067.tif 000014